(57)【要約】【課題】本発明は子供用の手持ち扇風機を開示した。【解決手段】扇風機主体を含み、前記扇風機主体の中にはベベルギヤ溝が設置され、前記ベベルギヤ溝の外輪には風入り口が設置され、前記風入り口の右端壁には作動チャンバが設置され、まず子供の手を前記ストラップに通し、そして前記取っ手を握り、本装置は表面も裏面も子供の指が差し込むことを防止する保護ロッドを有し、同時に本装置は手動で羽根の大きさを調節でき、これにより風量を制御し、これにより子供が使用する時にもっと快適で安全であり、また取っ手の底部にはストラップが設置され、子供が手を滑らせて本装置を落とすことを防止する。【選択図】図１
2020176622.tif 000002
【特許請求の範囲】
【請求項１】
正面視で、扇風機主体を含み、前記扇風機主体の中にはベベルギヤ溝が設置され、前記ベベルギヤ溝の外輪には風入り口が設置され、前記風入り口の右端壁には作動チャンバが設置され、前記作動チャンバと前記ベベルギヤ溝の中には回転装置が設置され、前記回転装置は主軸と主軸ベベルギヤを含み、前記回転装置は動力を生じることができ、前記回転装置の中にはまた駆動機構が設置され、前記主軸の中には羽根溝が設置され、前記羽根溝の右端にはリミット溝が設置され、前記リミット溝と前記羽根溝の中には調節装置が設置され、前記調節装置はボタン溝と二つの羽根を含み、前記ボタン溝を回転させることにより二つの前記羽根の高さを調節でき、回転装置は前記主軸を制御して回転させる時、前記羽根の異なる高さにより異なる風量を提供でき、前記調節装置の中にはまた連動機構が設置され、前記リミット溝の上端壁には切換溝が設置され、前記切換溝の右端壁にはボタン溝が設置され、前記作動チャンバの右端壁には送風口が設置され、前記送風口の右端壁には外部空間に連通している連通溝が設置され、前記扇風機主体の下端には取っ手が設置され、前記取っ手の下端にはストラップが設置されていることを特徴とする子供用の手持ち扇風機。
【請求項２】
前記回転装置の中の前記駆動機構は前記送風口の下端壁と固定的に連結されているモータを含み、前記モータの上端にはモータ軸が動力が伝達できるように連結され、前記モータ軸が前記風入り口の内外端壁と回転できるように連結され、前記モータ軸が上方へ伸びて前記ベベルギヤ溝の中に入っており、且つ前記モータ軸が前記ベベルギヤ溝の下端壁と回転できるように連結され、前記モータ軸の上端にはモータベベルギヤが設置され、前記モータベベルギヤが前記主軸ベベルギヤと噛み合っており、前記主軸ベベルギヤの右端面が前記主軸と固定的に連結され、前記主軸は前記ベベルギヤ溝の右端壁と前記作動チャンバの左右端壁とそれぞれ回転できるように連結され、前記風入り口の上下端壁には後保護ロッドが環状に設置され、前記送風口の上端壁には前保護ロッドが環状に設置され、前記モータを始動し、これにより前記モータ軸と、前記モータベベルギヤと、前記主軸ベベルギヤとを通じて前記主軸を連動させて回転させることを特徴とする請求項１に記載の子供用の手持ち扇風機。
【請求項３】
前記調節装置の中の前記連動機構は前記羽根溝の左右端壁と、前記リミット溝の左右端壁と、前記主軸の右端面とそれぞれ回転できるように連結されている調節軸を含み、前記羽根溝の左右端壁には連結スライド溝が対称的に設置され、前記連結スライド溝のうち前記羽根溝から離れている一端には調節溝が設置され、前記調節軸には調節溝が左右対称的に設置され、前記調節軸の上下両端には羽根機構が対称的に設置され、上端の前記羽根機構を例として説明し、前記調節溝の中には固定ブロックが設置され、前記固定ブロックの中には縄溝が設置され、前記調節溝の中にはリミットブロックがスライドできるように連結され、前記リミットブロックと前記固定ブロックとの間には調節ばねが設置され、前記リミットブロックの下端と前記調節軸との間には縄が連結され、前記リミットブロックのうち前記羽根溝に近接している一端には細ロッドが設置され、二つの前記細ロッドの間が前記羽根と固定的に連結され、前記調節軸の中端にはリミットギヤが設置され、前記調節軸の右端が前記つまみの左端面と固定的に連結され、前記切換溝の中には前記リミットギヤと当接できる針がスライドできるように連結され、前記針の左端面と前記切換溝の左端壁との間には引っ掛かりブロックばねが連結され、前記針の右端面には前記ボタン溝とスライドできるように連結されているボタンが設置され、前記連通溝の左端壁には引っ掛かり溝が設置され、前記引っ掛かり溝の中には保護蓋がスライドできるように連結され、前記保護蓋が前記前保護ロッドとスライドできるように連結され、前記保護蓋を右方へ抜き出し、そして前記ボタンと前記針とを右方へ引き、そして前記つまみを回転させ、これにより前記調節軸を連動させて回転させ、そして前記縄を奥へ引き動かし、これにより前記リミットブロックと、前記細ロッドと、前記羽根とが前記調節軸の方向へ移動し、そして前記ボタンを放し、前記針が再び前記リミットギヤを固定し、そして前記保護蓋を前記引っ掛かり溝の中に挿入することを特徴とする請求項１に記載の子供用の手持ち扇風機。
【発明の詳細な説明】
【技術分野】
【０００１】
本発明は小型電器分野を取り上げて、具体的には子供用の手持ち扇風機である。
【背景技術】
【０００２】
現在、暑い夏の日に遊びに出かける時、いつも手持ちミニ扇風機で体を涼しく感じさせ、しかし、従来の手持ち扇風機は二つの柔らかい小羽根により構成され、羽根は柔らかく、大人を傷つけることはあまりないが、子供をやはり傷つけやすく、また、従来のミニ扇風機は風量を調節できなく、子供が使用する時、風力の調節はとても重要である。
【先行技術文献】
【特許文献】
【０００３】
【特許文献１】中国特許出願公開第１０３８６７４６２号明細書
【発明の概要】
【発明が解決しようとする課題】
【０００４】
本発明は子供用の手持ち扇風機を提供し、上記背景技術において提出された問題を解決することを目的とする。
【課題を解決するための手段】
【０００５】
上記の目的を実現するために、本発明は以下の技術プランを提供する：子供用の手持ち扇風機は、扇風機主体を含み、前記扇風機主体の中にはベベルギヤ溝が設置され、前記ベベルギヤ溝の外輪には風入り口が設置され、前記風入り口の右端壁には作動チャンバが設置され、前記作動チャンバと前記ベベルギヤ溝の中には回転装置が設置され、前記回転装置は主軸と主軸ベベルギヤを含み、前記回転装置は動力を生じることができ、前記回転装置の中にはまた駆動機構が設置され、前記主軸の中には羽根溝が設置され、前記羽根溝の右端にはリミット溝が設置され、前記リミット溝と前記羽根溝の中には調節装置が設置され、前記調節装置はボタン溝と二つの羽根を含み、前記ボタン溝を回転させることにより二つの前記羽根の高さを調節でき、回転装置は前記主軸を制御して回転させる時、前記羽根の異なる高さにより異なる風量を提供でき、前記調節装置の中にはまた連動機構が設置され、前記リミット溝の上端壁には切換溝が設置され、前記切換溝の右端壁にはボタン溝が設置され、前記作動チャンバの右端壁には送風口が設置され、前記送風口の右端壁には外部空間に連通している連通溝が設置され、前記扇風機主体の下端には取っ手が設置され、前記取っ手の下端にはストラップが設置されている。
【０００６】
好ましくは、前記回転装置の中の前記駆動機構は前記送風口の下端壁と固定的に連結されているモータを含み、前記モータの上端にはモータ軸が動力が伝達できるように連結され、前記モータ軸が前記風入り口の内外端壁と回転できるように連結され、前記モータ軸が上方へ伸びて前記ベベルギヤ溝の中に入っており、且つ前記モータ軸が前記ベベルギヤ溝の下端壁と回転できるように連結され、前記モータ軸の上端にはモータベベルギヤが設置され、前記モータベベルギヤが前記主軸ベベルギヤと噛み合っており、前記主軸ベベルギヤの右端面が前記主軸と固定的に連結され、前記主軸は前記ベベルギヤ溝の右端壁と前記作動チャンバの左右端壁とそれぞれ回転できるように連結され、前記風入り口の上下端壁には後保護ロッドが環状に設置され、前記送風口の上端壁には前保護ロッドが環状に設置され、前記モータを始動し、これにより前記モータ軸と、前記モータベベルギヤと、前記主軸ベベルギヤとを通じて前記主軸を連動させて回転させる。
【０００７】
好ましくは、前記調節装置の中の前記連動機構は前記羽根溝の左右端壁と、前記リミット溝の左右端壁と、前記主軸の右端面とそれぞれ回転できるように連結されている調節軸を含み、前記羽根溝の左右端壁には連結スライド溝が対称的に設置され、前記連結スライド溝のうち前記羽根溝から離れている一端には調節溝が設置され、前記調節軸には調節溝が左右対称的に設置され、前記調節軸の上下両端には羽根機構が対称的に設置され、上端の前記羽根機構を例として説明し、前記調節溝の中には固定ブロックが設置され、前記固定ブロックの中には縄溝が設置され、前記調節溝の中にはリミットブロックがスライドできるように連結され、前記リミットブロックと前記固定ブロックとの間には調節ばねが設置され、前記リミットブロックの下端と前記調節軸との間には縄が連結され、前記リミットブロックのうち前記羽根溝に近接している一端には細ロッドが設置され、二つの前記細ロッドの間が前記羽根と固定的に連結され、前記調節軸の中端にはリミットギヤが設置され、前記調節軸の右端が前記つまみの左端面と固定的に連結され、前記切換溝の中には前記リミットギヤと当接できる針がスライドできるように連結され、前記針の左端面と前記切換溝の左端壁との間には引っ掛かりブロックばねが連結され、前記針の右端面には前記ボタン溝とスライドできるように連結されているボタンが設置され、前記連通溝の左端壁には引っ掛かり溝が設置され、前記引っ掛かり溝の中には保護蓋がスライドできるように連結され、前記保護蓋が前記前保護ロッドとスライドできるように連結され、前記保護蓋を右方へ抜き出し、そして前記ボタンと前記針とを右方へ引き、そして前記つまみを回転させ、これにより前記調節軸を連動させて回転させ、そして前記縄を奥へ引き動かし、これにより前記リミットブロックと、前記細ロッドと、前記羽根とが前記調節軸の方向へ移動し、そして前記ボタンを放し、前記針が再び前記リミットギヤを固定し、そして前記保護蓋を前記引っ掛かり溝の中に挿入する。
【発明の効果】
【０００８】
以上により、本発明の有益効果は：本装置は表面も裏面も子供の指が差し込むことを防止する保護ロッドを有し、同時に本装置は手動で羽根の大きさを調節でき、これにより風量を制御し、これにより子供が使用する時にもっと快適で安全であり、また取っ手の底部にはストラップが設置され、子供が手を滑らせて本装置を落とすことを防止する。
【図面の簡単な説明】
【０００９】
本発明の実施例または従来技術における技術プランをもっとはっきり説明するために、以下は実施例または従来技術を説明する時に必要な付図を簡単に紹介する。一目でわかることは下記の説明の中の附図はただ本発明のいくつかの実施例で、本領域の普通技術者にとって、創造的な労働を払わないことを前提に、これらの附図に基づいてそのほかの附図を得ることができる。
【００１０】
下記に図１〜３をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１１】
【図１】図１は本発明の子供用の手持ち扇風機の全体断面の正面構成模式図
【図２】図２は本発明の図１の中のＡにおける部分拡大図
【図３】図３は本発明の図１の左側図
【発明を実施するための形態】
【００１２】
本発明書に開示した全ての特徴、或いは開示した全ての方法、過程中のステップは、互いに排斥する特徴或いはステップ以外に、いかなる方式で組み合わせることができる。
【００１３】
本発明書に開示した全ての特徴は、特別な叙述がない限り、そのほかの同等或いは類似する目的を持つ代替特徴に取り替えられる。つまり特別な叙述がない限り、全ての特徴はただ一連の同等或いは類似する特徴の中の一つの例だけである。
【００１４】
図１〜３を参照し、本発明が提供する実施例は：子供用の手持ち扇風機は、扇風機主体２１を含み、前記扇風機主体２１の中にはベベルギヤ溝４４が設置され、前記ベベルギヤ溝４４の外輪には風入り口２２が設置され、前記風入り口２２の右端壁には作動チャンバ２４が設置され、前記作動チャンバ２４と前記ベベルギヤ溝４４の中には回転装置１０１が設置され、前記回転装置１０１は主軸２３と主軸ベベルギヤ４５を含み、前記回転装置１０１は動力を生じることができ、前記回転装置１０１の中にはまた駆動機構１０４が設置され、前記主軸２３の中には羽根溝５７が設置され、前記羽根溝５７の右端にはリミット溝３７が設置され、前記リミット溝３７と前記羽根溝５７の中には調節装置１０２が設置され、前記調節装置１０２はボタン溝３３と二つの羽根２５を含み、前記ボタン溝３３を回転させることにより二つの前記羽根２５の高さを調節でき、回転装置１０１は前記主軸２３を制御して回転させる時、前記羽根２５の異なる高さにより異なる風量を提供でき、前記調節装置１０２の中にはまた連動機構１０５が設置され、前記リミット溝３７の上端壁には切換溝５８が設置され、前記切換溝５８の右端壁にはボタン溝３３が設置され、前記作動チャンバ２４の右端壁には送風口２６が設置され、前記送風口２６の右端壁には外部空間に連通している連通溝２８が設置され、前記扇風機主体２１の下端には取っ手３９が設置され、前記取っ手３９の下端にはストラップ３８が設置されている。
【００１５】
前記回転装置１０１の中の前記駆動機構１０４は前記送風口２２の下端壁と固定的に連結されているモータ４０を含み、前記モータ４０の上端にはモータ軸４１が動力が伝達できるように連結され、前記モータ軸４１が前記風入り口２２の内外端壁と回転できるように連結され、前記モータ軸４１が上方へ伸びて前記ベベルギヤ溝４４の中に入っており、且つ前記モータ軸４１が前記ベベルギヤ溝４４の下端壁と回転できるように連結され、前記モータ軸４１の上端にはモータベベルギヤ４３が設置され、前記モータベベルギヤ４３が前記主軸ベベルギヤ４５と噛み合っており、前記主軸ベベルギヤ４５の右端面が前記主軸２３と固定的に連結され、前記主軸２３は前記ベベルギヤ溝４４の右端壁と前記作動チャンバ２４の左右端壁とそれぞれ回転できるように連結され、前記風入り口２２の上下端壁には後保護ロッド４６が環状に設置され、前記送風口２６の上端壁には前保護ロッド２７が環状に設置され、前記モータ４０を始動し、これにより前記モータ軸４１と、前記モータベベルギヤ４３と、前記主軸ベベルギヤ４５とを通じて前記主軸２３を連動させて回転させる。
【００１６】
前記調節装置１０２の中の前記連動機構１０５は前記羽根溝５７の左右端壁と、前記リミット溝３７の左右端壁と、前記主軸２３の右端面とそれぞれ回転できるように連結されている調節軸４７を含み、前記羽根溝５７の左右端壁には連結スライド溝５５が対称的に設置され、前記連結スライド溝５５のうち前記羽根溝５７から離れている一端には調節溝４８が設置され、前記調節軸４７には調節溝４８が左右対称的に設置され、前記調節軸４７の上下両端には羽根機構１０３が対称的に設置され、上端の前記羽根機構１０３を例として説明し、前記調節溝４８の中には固定ブロック５０が設置され、前記固定ブロック５０の中には縄溝５４が設置され、前記調節溝４８の中にはリミットブロック５２がスライドできるように連結され、前記リミットブロック５２と前記固定ブロック５０との間には調節ばね５１が設置され、前記リミットブロック５２の下端と前記調節軸４７との間には縄４９が連結され、前記リミットブロック５２のうち前記羽根溝５７に近接している一端には細ロッド５６が設置され、二つの前記細ロッド５６の間が前記羽根２５と固定的に連結され、前記調節軸４７の中端にはリミットギヤ３６が設置され、前記調節軸４７の右端が前記つまみ３４の左端面と固定的に連結され、前記切換溝５８の中には前記リミットギヤ３６と当接できる針３５がスライドできるように連結され、前記針３５の左端面と前記切換溝５８の左端壁との間には引っ掛かりブロックばね３１が連結され、前記針３５の右端面には前記ボタン溝３３とスライドできるように連結されているボタン３２が設置され、前記連通溝２８の左端壁には引っ掛かり溝２９が設置され、前記引っ掛かり溝２９の中には保護蓋３０がスライドできるように連結され、前記保護蓋３０が前記前保護ロッド２７とスライドできるように連結され、前記保護蓋３０を右方へ抜き出し、そして前記ボタン３２と前記針３５とを右方へ引き、そして前記つまみ３４を回転させ、これにより前記調節軸４７を連動させて回転させ、そして前記縄４９を奥へ引き動かし、これにより前記リミットブロック５２と、前記細ロッド５６と、前記羽根２５とが前記調節軸４７の方向へ移動し、そして前記ボタン３２を放し、前記針３５が再び前記リミットギヤ３６を固定し、そして前記保護蓋３０を前記引っ掛かり溝２９の中に挿入する。
【００１７】
使用する時、まず子供の手を前記ストラップ３８に通し、そして前記取っ手３９を握り、また前記モータ４０を始動し、これにより前記モータ軸４１と、前記モータベベルギヤ４３と、前記主軸ベベルギヤ４５とを通じて前記主軸２３を連動させて回転させ、これにより前記調節軸４７が前記羽根２５を連動させて回転させ、これにより風を送り、子供は風が強すぎると思った時、前記保護蓋３０を右方へ抜き出し、そして前記ボタン３２と前記針３５とを右方へ引き、そして前記つまみ３４を回転させ、これにより前記調節軸４７を連動させて回転させ、そして前記縄４９を奥へ引き動かし、これにより前記リミットブロック５２と、前記細ロッド５６と、前記羽根２５とが前記調節軸４７の方向へ移動し、そして前記ボタン３２を放し、前記針３５が再び前記リミットギヤ３６を固定し、そして前記保護蓋３０を前記引っ掛かり溝２９の中に挿入すればよい。
【００１８】
本発明の有益効果は：本装置は表面も裏面も子供の指が差し込むことを防止する保護ロッドを有し、同時に本装置は手動で羽根の大きさを調節でき、これにより風量を制御し、これにより子供が使用する時にもっと快適で安全であり、また取っ手の底部にはストラップが設置され、子供が手を滑らせて本装置を落とすことを防止する。
【００１９】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
2020176622.tif 000003
【図２】
2020176622.tif 000004
【図３】
2020176622.tif 000005
【手続補正書】
【提出日】令和1年8月8日(2019.8.8)
【手続補正１】
【補正対象書類名】特許請求の範囲
【補正対象項目名】全文
【補正方法】変更
【補正の内容】
【特許請求の範囲】
【請求項１】
正面視で、扇風機主体を含み、前記扇風機主体の中にはベベルギヤ溝が設置され、前記ベベルギヤ溝の外輪には風入り口が設置され、前記風入り口の右端壁には作動チャンバが設置され、前記作動チャンバと前記ベベルギヤ溝の中には回転装置が設置され、前記回転装置は主軸と主軸ベベルギヤを含み、前記回転装置は動力を生じることができ、前記回転装置の中にはまた駆動機構が設置され、前記主軸の中には羽根溝が設置され、前記羽根溝の右端にはリミット溝が設置され、前記リミット溝と前記羽根溝の中には調節装置が設置され、前記調節装置はボタン溝と二つの羽根を含み、前記ボタン溝を回転させることにより二つの前記羽根の高さを調節でき、回転装置は前記主軸を制御して回転させる時、前記羽根の異なる高さにより異なる風量を提供でき、前記調節装置の中にはまた連動機構が設置され、前記リミット溝の上端壁には切換溝が設置され、前記切換溝の右端壁にはボタン溝が設置され、前記作動チャンバの右端壁には送風口が設置され、前記送風口の右端壁には外部空間に連通している連通溝が設置され、前記扇風機主体の下端には取っ手が設置され、前記取っ手の下端にはストラップが設置されていることを特徴とする子供用の手持ち扇風機。
【請求項２】
前記回転装置の中の前記駆動機構は前記送風口の下端壁と固定的に連結されているモータを含み、前記モータの上端にはモータ軸が動力が伝達できるように連結され、前記モータ軸が前記風入り口の内外端壁と回転できるように連結され、前記モータ軸が上方へ伸びて前記ベベルギヤ溝の中に入っており、且つ前記モータ軸が前記ベベルギヤ溝の下端壁と回転できるように連結され、前記モータ軸の上端にはモータベベルギヤが設置され、前記モータベベルギヤが前記主軸ベベルギヤと噛み合っており、前記主軸ベベルギヤの右端面が前記主軸と固定的に連結され、前記主軸は前記ベベルギヤ溝の右端壁と前記作動チャンバの左右端壁とそれぞれ回転できるように連結され、前記風入り口の上下端壁には後保護ロッドが環状に設置され、前記送風口の上端壁には前保護ロッドが環状に設置され、前記モータを始動し、これにより前記モータ軸と、前記モータベベルギヤと、前記主軸ベベルギヤとを通じて前記主軸を連動させて回転させることを特徴とする請求項１に記載の子供用の手持ち扇風機。
【請求項３】
前記調節装置の中の前記連動機構は前記羽根溝の左右端壁と、前記リミット溝の左右端壁と、前記主軸の右端面とそれぞれ回転できるように連結されている調節軸を含み、前記羽根溝の左右端壁には連結スライド溝が対称的に設置され、前記連結スライド溝のうち前記羽根溝から離れている一端には調節溝が設置され、前記調節軸には調節溝が左右対称的に設置され、前記調節軸の上下両端には羽根機構が対称的に設置され、上端の前記羽根機構を例として説明し、前記調節溝の中には固定ブロックが設置され、前記固定ブロックの中には縄溝が設置され、前記調節溝の中にはリミットブロックがスライドできるように連結され、前記リミットブロックと前記固定ブロックとの間には調節ばねが設置され、前記リミットブロックの下端と前記調節軸との間には縄が連結され、前記リミットブロックのうち前記羽根溝に近接している一端には細ロッドが設置され、二つの前記細ロッドの間が前記羽根と固定的に連結され、前記調節軸の中端にはリミットギヤが設置され、前記調節軸の右端が前記つまみの左端面と固定的に連結され、前記切換溝の中には前記リミットギヤと当接できる針がスライドできるように連結され、前記針の左端面と前記切換溝の左端壁との間には引っ掛かりブロックばねが連結され、前記針の右端面には前記ボタン溝とスライドできるように連結されているボタンが設置され、前記連通溝の左端壁には引っ掛かり溝が設置され、前記引っ掛かり溝の中には保護蓋がスライドできるように連結され、前記保護蓋が前記前保護ロッドとスライドできるように連結され、前記保護蓋を右方へ抜き出し、そして前記ボタンと前記針とを右方へ引き、そして前記つまみを回転させ、これにより前記調節軸を連動させて回転させ、そして前記縄を奥へ引き動かし、これにより前記リミットブロックと、前記細ロッドと、前記羽根とが前記調節軸の方向へ移動し、そして前記ボタンを放し、前記針が再び前記リミットギヤを固定し、そして前記保護蓋を前記引っ掛かり溝の中に挿入することを特徴とする請求項２に記載の子供用の手持ち扇風機。